(57)【要約】      （修正有）【課題】足の裏に限定されず、足の両側面に広がるツボまでを刺激することができると共に、足裏健康法と屈伸運動とを行うことができる足踏み式マッサージ器を提供する。【解決手段】足の裏に当てる略帯状の踏み板１を設ける。踏み板１の両端部を略水平に支持する防水性の支持体２を設ける。合成樹脂材若しくはゴム材などの弾性を有する防水性の被覆材にて踏み板１を被覆する。該被覆材で踏み板１の表面に複数個の突起３を設ける。踏み板１の長手両端部に長孔状のスライド孔を形成する。支持体２の支持ピン５にスライド孔を通して踏み板１を略水平に支持する。踏み板１を足の裏で踏み込んだときに、スライド孔の長さ分移動しながら略Ｕ字形状に湾曲するように設ける。該踏み板１が足の側面にまで接触して足の裏面と側面とのツボを刺激するように設ける。踏み込んだ足を離したときに踏み板１の弾性力にて踏み板１が略水平の位置に戻るように設ける。【選択図】図１
0003143152.tif 000002
【実用新案登録請求の範囲】
【請求項１】
足の裏に当てる略帯状の踏み板と、該踏み板の両端部を略水平に連結支持する支持体とを有する足踏み式マッサージ器において、踏み板は、弾性を有する帯状板にて形成され、踏み板の表面に複数個の突起が設けられ、該踏み板を足の裏で踏み込んだときに略Ｕ字形状に湾曲した踏み板が足の側面に接触して足の裏面と側面とのツボを刺激するように設けられたことを特徴とする足踏み式マッサージ器。
【請求項２】
前記踏み板は、前記支持体との連結部に長孔状のスライド孔が形成され、該踏み板を前記支持体に連結する連結ピンを設け、該連結ピンをスライド孔に通して踏み板を略水平に支持し、踏み板を足で踏み込んだときにスライド孔の長さ分移動しながら略Ｕ字形状に湾曲すると共に、該踏み板が足の側面にまで接触して足の裏面と側面とのツボを刺激するように設け、踏み込んだ足を離したときに踏み板の弾性力にて踏み板が略水平の位置に戻るように設けられた請求項１記載の足踏み式マッサージ器。
【請求項３】
前記踏み板は弾性を有する帯状鋼板にて形成され、該帯状鋼板製の踏み板を被覆する合成樹脂材若しくはゴム材などの弾性を有する被覆材にて被覆されると共に、該被覆材で踏み板の表面に複数個の突起が設けられた請求項１又は２記載の足踏み式マッサージ器。
【請求項４】
足の裏に当てる略帯状の踏み板と、該踏み板の両端部を略水平に支持する耐水性の支持体とを有する足踏み式マッサージ器において、前記踏み板は、弾性を有する帯状鋼板にて形成され、該帯状鋼板を被覆する合成樹脂材若しくはゴム材などの弾性を有する防水性の被覆材にて被覆されると共に、該被覆材で踏み板の表面に複数個の突起が設けられ、踏み板の長手両端部に踏み板の長手方向に沿った長孔状のスライド孔が形成され、支持体の両端部に立設された支持ピンにスライド孔を通して踏み板が略水平に支持され、浴槽内に支持体ごと設置された踏み板を足の裏で踏み込んだときに、スライド孔の長さ分移動しながら略Ｕ字形状に湾曲すると共に、該踏み板が足の側面にまで接触して足の裏面と側面とのツボを刺激するように設け、踏み込んだ足を離したときに踏み板の弾性力にて踏み板が略水平の位置に戻るように設けられたことを特徴とする足踏み式マッサージ器。
【考案の詳細な説明】
【技術分野】
【０００１】
本考案は、足裏のツボから足側面に分布しているツボに至るまで幅広く刺激して効果的にマッサージすることが可能な足踏み式マッサージ器に関する。
【背景技術】
【０００２】
東洋医学によると、足の裏には体の臓器や器官に対応する抹消神経の束があるとされ、一般に、足裏の反射ゾーンと称することがある。この反射ゾーンには、指圧や針などで刺激することで内臓や器官等の機能を回復するツボが分布している。そして、このツボを種々の器具類で刺激し、健康を促進させる足裏健康法が家庭療法などで知られている。
【０００３】
この足裏健康法に使用される器具類は多種類にわたるが、特に、足踏み式のマッサージ器は、多くのものが提案されている。
【０００４】
たとえば、特許文献１のマッサージ器は、湯船に浸かりながら使用するもので、湯に漬けても変質しない樹脂等により、かまぼこ形状の足裏マッサージ器を設け、この表面に、足の裏を刺激する突起を複数個設けると共に、この足裏マッサージ器を湯船の内部に固定する吸盤を設けたものである。
【０００５】
また、特許文献２に記載された足踏み健康器は、側面波形状を成した弾性の踏み板を使用するもので、この踏み板を踏み込む足踏み運動で下半身強化を図ると共に、足裏刺激による健康促進を期待するものである。
【０００６】
更に、特許文献３に記載されている指圧器具は、側面Ｕ字形状に屈曲された板バネの上面に、略かまぼこ状の作動台を載置したもので、この作動台を足裏でリズミカルに踏み込む運動によって足裏の指圧効果を期待している。
【特許文献１】特開２００５−１３７５５１号公報
【特許文献２】特開平６−１２５９６６号公報
【特許文献３】実用新案登録第３０１５８２３号公報
【考案の開示】
【考案が解決しようとする課題】
【０００７】
これら従来の足踏み式のマッサージ器は、いずれも足の裏面のみをマッサージするように設けられていた。ところが、東洋医学における足のツボは、足の裏面のみならず、図５に示す如く、足の側面などあらゆるところに分布している。しかしながら、従来の家庭療法で使用されている足踏み式のマッサージ器では、足裏以外のツボを刺激することができなかった。
【０００８】
例えば特許文献１の足裏マッサージ器では、かまぼこ形状のものに足裏を刺激する小突起を設けたものなので、この形状から刺激可能な部位は足の裏面に限られてしまうものである。しかも、浴槽内で使用する場合に、固定されたマッサージ器を足裏で踏み付ける運動に終始し、浴槽内の湯の水圧を効果的に利用することは困難である。
【０００９】
また、特許文献２に記載の足踏み健康器によると、多段階の反発作用を有する足踏み板を使用するものであるが、この足踏み板においても、側面から見て丸く屈曲された足踏み板に接触するのは、足の裏に限定されている。
【００１０】
更に、特許文献３に記載の指圧器具では、板バネの揺動側に設けられた作動板を足裏で踏み付けるものであるが、この作動板の形状も前記特許文献１の足裏マッサージ器と同様のかまぼこ形状を成しているので、作動板に接触可能な部位は、足の裏面の狭い範囲に限られるものである。
【００１１】
このように、各特許文献に記載されている足裏マッサージ器では、足裏のみを刺激するものであるから、例えば、足の外側にあるツボや、足の内側にあるツボなど、足裏以外のツボを刺激することはできない。
【００１２】
しかも、家庭での足裏健康法で使用する従来の足踏み式マッサージ器は、いずれも前記特許文献と同様に足の裏面のみを刺激するように設けられており、足の側面まで刺激するものはこれまで提案されていなかった。
【００１３】
そこで本考案は上述の課題を解消すべく案出されたもので、足の裏に限定されず、足の両側面に広がるツボまでを刺激することができると共に、足裏健康法と屈伸運動とを浴槽の中でも効果的に行うことができる足踏み式マッサージ器の提供を目的とするものである。
【課題を解決するための手段】
【００１４】
上術の課題を解決するため、本考案の第１の手段は、足の裏に当てる略帯状の踏み板１と、該踏み板１の両端部を略水平に連結支持する支持体２とを有する足踏み式マッサージ器において、踏み板１は、弾性を有する帯状板にて形成され、踏み板１の表面に複数個の突起３が設けられ、該踏み板１を足の裏で踏み込んだときに略Ｕ字形状に湾曲した踏み板１が足の側面に接触して足の裏面と側面とのツボを刺激するように設けられたことにある。
【００１５】
第２の手段において、前記踏み板１は、前記支持体２との連結部に長孔状のスライド孔４が形成され、該踏み板１を前記支持体２に連結する連結ピン５を設け、該連結ピン５をスライド孔４に通して踏み板１を略水平に支持し、踏み板１を足で踏み込んだときにスライド孔４の長さ分移動しながら略Ｕ字形状に湾曲すると共に、該踏み板１が足の側面にまで接触して足の裏面と側面とのツボを刺激するように設け、踏み込んだ足を離したときに踏み板１の弾性力にて踏み板１が略水平の位置に戻るように設けられている。
【００１６】
第３の手段の前記踏み板１は弾性を有する帯状鋼板にて形成され、該帯状鋼板製の踏み板１を被覆する合成樹脂材若しくはゴム材などの弾性を有する被覆材６にて被覆されると共に、該被覆材６で踏み板１の表面に複数個の突起３が設けられたものである。
【００１７】
第４の手段は、足の裏に当てる略帯状の踏み板１と、該踏み板１の両端部を略水平に支持する耐水性の支持体２とを有する足踏み式マッサージ器において、前記踏み板１は、弾性を有する帯状鋼板にて形成され、該帯状鋼板を被覆する合成樹脂材若しくはゴム材などの弾性を有する防水性の被覆材６にて被覆されると共に、該被覆材６で踏み板１の表面に複数個の突起３が設けられ、踏み板１の長手両端部に踏み板１の長手方向に沿った長孔状のスライド孔４が形成され、支持体２の両端部に立設された支持ピン５にスライド孔４を通して踏み板１が略水平に支持され、浴槽内に支持体２ごと設置された踏み板１を足の裏で踏み込んだときに、スライド孔４の長さ分移動しながら略Ｕ字形状に湾曲すると共に、該踏み板１が足の側面にまで接触して足の裏面と側面とのツボを刺激するように設け、踏み込んだ足を離したときに踏み板１の弾性力にて踏み板１が略水平の位置に戻るように設けられたことを課題解消のための手段とする。
【考案の効果】
【００１８】
本考案の請求項１の如く、踏み板１を足の裏で踏み込んだときに略Ｕ字形状に湾曲した踏み板１が足の側面にまで接触して足の裏面と側面とのツボを刺激するように設けたことにより、従来の如く足の裏に限定されず足の両側面まで刺激することができる。
【００１９】
また、請求項２のように、踏み板１を足で踏み込んだときにスライド孔４の長さ分移動しながら略Ｕ字形状に湾曲すると共に、該踏み板１が足の側面にまで接触して足の裏面と側面とのツボを刺激するように設けているので、足裏から足側面に至るまで極めて広範囲で効果的なマッサージが可能になるものである。
【００２０】
しかも、踏み込んだ足を離したときに踏み板１の弾性力にて踏み板１が略水平の位置に戻るように設けているので、この踏み板１を踏み込む動作を繰り返すことにより、脚の屈伸運動を行うことが可能になり、足裏健康法と屈伸運動とを同時に行うことができる。
【００２１】
請求項３によると、踏み板１は弾性を有する帯状鋼板にて形成され、支持体２は、該踏み板１の表面を被覆する合成樹脂材若しくはゴム材などの弾性を有する被覆材６にて形成しているから、帯状鋼板の強力な弾性力を有しながら、これを被覆する弾性被覆材６により安全な使用が可能になるものである。
【００２２】
更に、支持体２はこの被覆材６にて形成されるので、踏み板１が湾曲変形した際でもこの変形に対して忠実に追随することができ、特に、足の側面のツボなどを効果的に刺激することができる。
【００２３】
請求項４では、防水性の支持体２を有する足踏み式マッサージ器において、浴槽内の中に支持体２ごと設置された踏み板１を足の裏で踏み込んだときに、スライド孔４の長さ分移動しながら略Ｕ字形状に湾曲すると共に、該踏み板１が足の側面にまで接触して足の裏面と側面とのツボを刺激するように設けているので、浴槽の湯で温めながら足裏や足側面のツボを効果的にマッサージすることができる。
【００２４】
しかも、浴槽内で踏み板１を踏み込む動作を繰り返すことにより、浴槽内の水圧を利用しながら脚の屈伸運動を行うことが可能になり、足裏健康法と屈伸運動とを同時に且つ極めて効果的に行うことができる。
【００２５】
このように本考案によると、足の裏に限定されず、足の両側面に広がるツボまでを刺激することができ、浴槽内の水圧を利用した極めて効果的なマッサージが可能になるなどといった実用上有益な種々の効果を奏するものである。
【考案を実施するための最良の形態】
【００２６】
本考案の最良の形態は、足の裏に当てる略帯状の踏み板１と、踏み板１の両端部を支持する支持体２とを有する足踏み式マッサージ器を設ける。該踏み板１は、弾性を有する帯状鋼板にて形成され、該帯状鋼板を被覆する弾性材にて帯状鋼板の表面に複数個の突起３が設けられる。該踏み板１を足の裏で踏み込んだときに略Ｕ字形状に湾曲した踏み板１が足の側面に接触して足の裏面と側面とのツボを刺激するように設ける。踏み板１の長手両端部に長手方向に沿った長孔状のスライド孔４を形成する。前記支持体２の両端部に立設された支持ピン５にスライド孔４を通して踏み板１を略水平に支持する。踏み板１を足で踏み込んだときに該踏み板１が湾曲しながらスライド孔４の長さ分移動すると共に、踏み込んだ足を離したときに自身の弾性力にて踏み板１が略水平の位置に戻るように設ける。前記踏み板１及び前記支持体２は、耐水性の材質により浴槽内で使用可能に設けることにより、当初の目的を達成する。
【実施例】
【００２７】
以下、本考案足踏み式マッサージ器の一実施例を説明する。本考案の主要構成は、足の裏に当てる略帯状の踏み板１と、踏み板１の両端部を連結支持する支持体２とから成る（図１参照）。
【００２８】
踏み板１は、弾性を有する帯状板にて形成されている。踏み板１の材質として、金属材やプラスチック材等の使用が可能であるが、強靭な弾性力や耐久性を有する帯状鋼板の使用が望ましい。
【００２９】
この踏み板１の表面に、複数個の突起３が設けられている（図３参照）。更に、支持体２との連結部に長孔状のスライド孔４が形成されている（図２参照）。一方、支持体２には、踏み板１を連結する連結ピン５が立設され、この連結ピン５に踏み板１のスライド孔４を通し、支持体２に踏み板１を略水平に支持するものである（図１参照）。このスライド孔４は、踏み板１を足で踏み込んだときにスライド孔４の長さ分踏み板１が移動するように設けている（図４参照）。
【００３０】
そして、踏み板１を足の裏で踏み込むと、まず足の裏が踏み板１の突起３に当たる。更に踏み板１を踏み込むと、踏み板１が略Ｕ字形状に湾曲した踏み板１が足の側面にまで接触し、この接触部分に設けられた突起３が足の側面にまで当たることになり、この結果、足の裏面と側面とのツボ（図５参照）を刺激することが可能になる。
【００３１】
また、スライド孔４を設けることで、踏み込んだ足を離したときに、踏み板１の弾性力にて踏み板１が略水平の位置に戻される（図３参照）。この動きを利用して、マッサージとは別に、脚の屈伸運動を行うことも可能である。
【００３２】
支持体２は、踏み板１を略水平に支持するもので、踏み板１を踏み込む際にずれないように安定した設置が求められる。そのため図示例の支持体２は、左右一対の支持具２Ａを一対の連結部材２Ｂで連結し、各連結部材２Ｂの両端部にゴム製の滑り止具２Ｃを設けている（図１参照）。また、この支持体２は、踏み板１を安定的に且つ安全に支持できるものであればどのような形状でも良い。
【００３３】
突起３は、足のツボを刺激してマッサージするものであるから、弾性を有する突起３が望ましい。図示例では、帯状鋼板製の踏み板１を、合成樹脂材若しくはゴム材などの弾性を有する防水性の被覆材６にて被覆し、この被覆材６で踏み板１の表面に複数個の突起３を設けている（図３参照）。このような突起３を形成することで、踏み板１の変形に対して忠実に追随するものになる（図４参照）。
【００３４】
踏み板１と支持体２とを耐水性の材質等により形成することで、本考案足踏み式マッサージ器を浴槽内に設置して湯で温まりながら使用することができる。例えば、帯状鋼板を耐水性の被覆材６にて被覆した踏み板１と、該踏み板１を略水平に支持する合成樹脂材等の支持体２との足踏み式マッサージ器などが使用可能である（図１参照）。
【００３５】
このように、浴槽内で温まりながら、浴槽内に設置した踏み板１を足の裏で踏み込んで足の裏面と側面とのツボを刺激すると共に、踏み込んだ足を離して踏み板１を略水平の位置に戻す動作を繰り返すことで、血液の循環を良好にするので、マッサージ効果を高め、膝等の屈伸運動効果も期待することができる。
【００３６】
尚、本考案は、図示例に限定されるものではなく、踏み板１や支持体２の寸法や形状等の設計変更、および突起３やスライド孔４、被覆材６等の構成部材は、本考案の要旨を変更しない範囲において自由に変更できるものである。
【図面の簡単な説明】
【００３７】
【図１】本考案の一実施例を示す斜視図である。
【図２】本考案の踏み板とスライド孔の一実施例を示す要部平面図である。
【図３】本考案の使用前の状態を示す断面図である。
【図４】本考案の使用時の状態を示す断面図である。
【図５】足の反射ゾーンを示し、（イ）は外側面（ロ）は内側面を示す図である。
【符号の説明】
【００３８】
１  踏み板
２  支持体
２Ａ  支持具
２Ｂ  連結部材
２Ｃ  滑り止具
３  突起
４  スライド孔
５  連結ピン
６  被覆材
７  滑り止具
８  ツボ
【図１】
0003143152.tif 000003
【図２】
0003143152.tif 000004
【図３】
0003143152.tif 000005
【図４】
0003143152.tif 000006
【図５】
0003143152.tif 000007